(57)【要約】【課題】ＲＦ−ＩＤメディアに書き込まれた情報を読み出す情報読取装置における負荷を増加させることなく、複数のサービスにて汎用的に利用する。【解決手段】ＩＣタグ１１に書き込まれた識別コードが情報読取装置２０−１〜２０−ｎにて読み取られると、情報読取装置２０−１〜２０−ｎにおいて、アクセス状況管理機構４０にアクセスするためのアクセス情報にＩＣタグ１１から読み取られた識別コードが付加されて識別コード付アクセス情報が編集され、識別コード付アクセス情報を用いて、アクセス状況管理機構４０にインターネット３０を介してアクセスが行われる。アクセス状況管理機構４０においては、識別コード付アクセス情報に含まれる識別コードに基づいて、ＩＣタグ１１を用いた情報読取装置２０−１〜２０−ｎに対するアクセス状況が管理される。【選択図】  図１
2005011205.tif 000002
【特許請求の範囲】
【請求項１】
固有の識別コードが予め書き込まれ、非接触状態にて情報の読み取りが可能なＲＦ−ＩＤメディアと、ＲＦ−ＩＤメディアに対して非接触状態にて少なくとも情報の読み取りを行う情報読取装置とを有し、ＲＦ−ＩＤメディアを用いた前記情報読取装置に対するアクセス状況を管理するアクセス管理システムであって、
インターネットに接続可能に構成され、ＲＦ−ＩＤメディアに書き込まれた前記識別コードに基づいて前記アクセス状況を管理するアクセス状況管理手段を有し、
前記情報読取装置は、
ＲＦ−ＩＤメディアに書き込まれた前記識別コードを読み取る読取手段と、
インターネットを介して前記アクセス状況管理手段にアクセスするためのアクセス情報が格納された記憶手段と、
前記アクセス情報に前記読取手段にてＲＦ−ＩＤメディアから読み取られた前記識別コードを付加して識別コード付アクセス情報を編集する編集手段と、
前記編集手段にて編集された識別コード付アクセス情報を用いて、前記アクセス状況管理手段にインターネットを介してアクセスする通信手段とを有し、
前記アクセス状況管理手段は、前記識別コード付アクセス情報に含まれる前記識別コードに基づいて前記アクセス状況を管理することを特徴とするアクセス管理システム。
【請求項２】
請求項１に記載のアクセス管理システムにおいて、
前記編集手段は、前記アクセス情報に前記読取手段にてＲＦ−ＩＤメディアから読み取られた前記識別コード及び当該情報読取装置に付与された識別情報を付加して識別コード付アクセス情報を編集し、
前記アクセス管理手段は、前記識別コード付アクセス情報に含まれる前記識別コード及び前記識別情報に基づいて前記アクセス状況を管理することを特徴とするアクセス管理システム。
【請求項３】
請求項１または請求項２に記載のアクセス管理システムにおいて、
前記アクセス情報は、ＵＲＬであり、
前記通信手段は、ｈｔｔｐプロトコルに従ってアクセスを行うことを特徴とするアクセス管理システム。
【請求項４】
固有の識別コードが予め書き込まれたＲＦ−ＩＤメディアに対して非接触状態にて少なくとも情報の読み取りを行う情報読取装置であって、
ＲＦ−ＩＤメディアに書き込まれた前記識別コードを読み取る読取手段と、
インターネットを介して所定の領域にアクセスするためのアクセス情報が格納された記憶手段と、
前記アクセス情報に前記読取手段にてＲＦ−ＩＤメディアから読み取られた前記識別コードを付加して識別コード付アクセス情報を編集する編集手段と、
前記編集手段にて編集された識別コード付アクセス情報を用いて、前記アクセス情報によって特定される領域にインターネットを介してアクセスする通信手段とを有することを特徴とする情報読取装置。
【請求項５】
請求項４に記載の情報読取装置において、
前記アクセス情報は、ＵＲＬであり、
前記通信手段は、ｈｔｔｐプロトコルに従ってアクセスを行うことを特徴とする情報読取装置。
【発明の詳細な説明】
【０００１】
【発明の属する技術分野】
本発明は、非接触型ＩＣカードや非接触型ＩＣタグ等のＲＦ−ＩＤメディアに書き込まれた情報を読み取ることによりＲＦ−ＩＤメディアを用いたアクセス管理を行うアクセス管理システム及びこのアクセス管理システムに用いられる情報読取装置に関する。
【０００２】
【従来の技術】
近年、情報化社会の進展に伴って、情報が記録されたカードやタグを用いた情報管理等が行われており、その中でも、専用のＩＣチップが搭載され、専用の装置に近接させるだけで情報の書き込み及び読み出しを行うことができる非接触型ＩＣカードや非接触型ＩＣタグ等のＲＦ−ＩＤメディアにおいては、情報の書き込みあるいは読み出しを行う際、ＲＦ−ＩＤメディアを取り出して専用の装置に挿入したりする必要がなく取り扱いに便利なため、そのＲＦ−ＩＤメディア及び該ＲＦ−ＩＤメディアに書き込まれた情報を読み取るための装置の急速な普及が進みつつある。
【０００３】
このようなＲＦ−ＩＤメディアを用いた情報管理においては、ＲＦ−ＩＤメディアに書き込まれた情報が、専用の情報書込／読出装置にて読み出されることにより情報管理が行われることになるが、例えば、次のような利用方法が行われている。
【０００４】
例えば、ＲＦ−ＩＤメディアを用いて利用されるサービス専用の情報書込／読出装置を、そのサービスによって決められた場所に設置しておくとともに、ＲＦ−ＩＤメディアに、そのサービスに関する情報及びサービスを利用する利用者に関する情報を書き込んでおく。
【０００５】
その後、利用者が、所持するＲＦ−ＩＤメディアを情報書込／読出装置に近接させ、情報書込／読出装置にてＲＦ−ＩＤメディアに書き込まれた情報が読み出されると、情報書込／読出装置において、ＲＦ−ＩＤメディアから読み出された情報を用いて情報管理が行われる。ＲＦ−ＩＤメディアから読み出された情報には、サービスに関する情報が書き込まれているため、このサービスに関する情報によってサービスの種類が特定される。また、ＲＦ−ＩＤメディアから読み出された情報には、サービスの利用者となるＲＦ−ＩＤメディアの所持者に関する情報が書き込まれているため、例えば、情報書込／読出装置において、いつ、誰が情報書込／読出装置にアクセスしたかが管理される。
【０００６】
情報書込／読出装置にて管理されるアクセス情報は、その後、例えば、サービスを運営するホスト等に収集され、アクセスに応じたサービスが利用者に提供されることになる。
【０００７】
また、上述したようなＲＦ−ＩＤメディアを用いたサービス提供システムの一例として、玩具内に、玩具を識別可能な玩具情報が記憶された応答器を内蔵させておき、玩具から玩具情報が読み出された場合に、該玩具情報に対応するアクセス情報によってサーバ等の記憶手段にアクセスが行われ、記憶手段に記憶された提供情報が提供されるシステムが考えられている。
【０００８】
このシステムにおいては、情報書込／読出装置となる情報提供装置において、玩具に内蔵された応答器から玩具情報が読み出されると、情報提供装置に予め登録されたアクセス情報のうち、玩具から読み出された玩具情報に対応するアクセス情報が検索され、このアクセス情報によって記憶手段にアクセスが行われる。記憶手段においては、玩具毎に提供すべき情報が、アクセス情報によって特定される領域に記憶されており、情報提供装置からのアクセスに応じた提供情報が提供されることになる。また、玩具に内蔵された応答器に、玩具情報とともにアクセス情報も書き込まれている場合は、このアクセス情報によって記憶手段にアクセスが行われる（例えば、特許文献１参照。）。
【０００９】
【特許文献１】
特開２００２−６３０９２号公報
【００１０】
【発明が解決しようとする課題】
しかしながら、上述したように、ＲＦ−ＩＤメディアを用いて利用されるサービス専用の情報書込／読出装置を、そのサービスによって決められた場所に設置しておくとともに、ＲＦ−ＩＤメディアにそのサービスに関する情報やサービスを利用する利用者に関する情報を書き込んでおき、情報書込／読出装置にてＲＦ−ＩＤメディアに書き込まれた情報が読み出された場合に、情報書込／読出装置において、ＲＦ−ＩＤメディアから読み出された情報を用いて情報管理が行われるものにおいては、情報書込／読出装置において、ＲＦ−ＩＤメディアから読み出された情報や該情報が読み出されたタイミング等を管理しておく必要があるため、情報書込／読出装置内にそのための記憶領域や管理手段を設けなければならないという問題点がある。また、その後、情報書込／読出装置にて管理されている情報をホスト等に収集しなければならず、そのための手間がかかるとともに、情報を収集する際に、情報書込／読出装置にて管理されている情報が外部に漏洩してしまう虞れがある
また、情報書込／読出装置において特定のサービスに利用されるＲＦ−ＩＤメディアから情報が読み出された場合にのみ、その利用者にサービスが提供されるため、サービス毎に情報書込／読出装置を設置しなければならないという問題点がある。
【００１１】
また、玩具内に、玩具を識別可能な玩具情報が記憶された応答器を内蔵させておき、玩具から玩具情報が読み出された場合に、該玩具情報に対応するアクセス情報によって記憶手段にアクセスが行われ、記憶手段に記憶された提供情報が提供されるものにおいては、情報提供装置において、玩具から読み出された玩具情報に対応するアクセス情報を玩具情報毎に管理しておく必要があるため、情報提供装置内にそのための記憶領域を設けておく必要があり、その数が多い場合、記憶領域が大規模なものとなってしまうという問題点がある。また、玩具に玩具情報とともにアクセス情報も書き込まれている場合は、玩具に予めアクセス情報を書き込んでおかなければならず、そのための手間がかかってしまうという問題点がある。
【００１２】
本発明は、上述したような従来の技術が有する問題点に鑑みてなされたものであって、ＲＦ−ＩＤメディアに書き込まれた情報を読み出すことによりＲＦ−ＩＤメディアを用いたアクセス管理を行うアクセス管理システムにおいて、ＲＦ−ＩＤメディアに書き込まれた情報を読み取る情報読取装置における負荷を増加させることなく、複数のサービスにて汎用的に利用することができるアクセス管理システム及びこのアクセス管理システムに用いられる情報読取装置を提供することを目的とする。
【００１３】
【課題を解決するための手段】
上記目的を達成するために本発明は、
固有の識別コードが予め書き込まれ、非接触状態にて情報の読み取りが可能なＲＦ−ＩＤメディアと、ＲＦ−ＩＤメディアに対して非接触状態にて少なくとも情報の読み取りを行う情報読取装置とを有し、ＲＦ−ＩＤメディアを用いた前記情報読取装置に対するアクセス状況を管理するアクセス管理システムであって、インターネットに接続可能に構成され、ＲＦ−ＩＤメディアに書き込まれた前記識別コードに基づいて前記アクセス状況を管理するアクセス状況管理手段を有し、
前記情報読取装置は、
ＲＦ−ＩＤメディアに書き込まれた前記識別コードを読み取る読取手段と、
インターネットを介して前記アクセス状況管理手段にアクセスするためのアクセス情報が格納された記憶手段と、
前記アクセス情報に前記読取手段にてＲＦ−ＩＤメディアから読み取られた前記識別コードを付加して識別コード付アクセス情報を編集する編集手段と、
前記編集手段にて編集された識別コード付アクセス情報を用いて、前記アクセス状況管理手段にインターネットを介してアクセスする通信手段とを有し、
前記アクセス状況管理手段は、前記識別コード付アクセス情報に含まれる前記識別コードに基づいて前記アクセス状況を管理することを特徴とする。
【００１４】
また、前記編集手段は、前記アクセス情報に前記読取手段にてＲＦ−ＩＤメディアから読み取られた前記識別コード及び当該情報読取装置に付与された識別情報を付加して識別コード付アクセス情報を編集し、
前記アクセス管理手段は、前記識別コード付アクセス情報に含まれる前記識別コード及び前記識別情報に基づいて前記アクセス状況を管理することを特徴とする。
【００１５】
また、前記アクセス情報は、ＵＲＬであり、
前記通信手段は、ｈｔｔｐプロトコルに従ってアクセスを行うことを特徴とする。
【００１６】
また、固有の識別コードが予め書き込まれたＲＦ−ＩＤメディアに対して非接触状態にて少なくとも情報の読み取りを行う情報読取装置であって、
ＲＦ−ＩＤメディアに書き込まれた前記識別コードを読み取る読取手段と、
インターネットを介して所定の領域にアクセスするためのアクセス情報が格納された記憶手段と、
前記アクセス情報に前記読取手段にてＲＦ−ＩＤメディアから読み取られた前記識別コードを付加して識別コード付アクセス情報を編集する編集手段と、
前記編集手段にて編集された識別コード付アクセス情報を用いて、前記アクセス情報によって特定される領域にインターネットを介してアクセスする通信手段とを有することを特徴とする。
【００１７】
また、前記アクセス情報は、ＵＲＬであり、
前記通信手段は、ｈｔｔｐプロトコルに従ってアクセスを行うことを特徴とする。
【００１８】
（作用）
上記のように構成された本発明においては、ＲＦ−ＩＤメディアに書き込まれた識別コードが情報読取装置の読取手段にて読み取られると、情報読取装置の編集手段において、アクセス状況管理手段にアクセスするためのアクセス情報に、読取手段にてＲＦ−ＩＤメディアから読み取られた識別コードが付加されて識別コード付アクセス情報が編集され、情報読取装置の通信手段において、編集手段にて編集された識別コード付アクセス情報を用いて、アクセス状況管理手段にインターネットを介してアクセスが行われる。アクセス状況管理手段においては、識別コード付アクセス情報に含まれる識別コードに基づいて、ＲＦ−ＩＤメディアを用いた情報読取装置に対するアクセス状況が管理される。
【００１９】
このように、情報読取装置にてＲＦ−ＩＤメディアから読み取られた識別コードが、アクセス状況管理手段にアクセスするためのアクセス情報に付加されてアクセス状況管理手段にアクセスが行われ、アクセス状況管理手段において、アクセス情報に付加された識別コードに基づいて、ＲＦ−ＩＤメディアを用いた情報読取装置に対するアクセス状況が管理されるので、情報読取装置にてＲＦ−ＩＤメディアを用いた情報読取装置に対するアクセス状況を管理しておく必要がなくなり、また、ＲＦ−ＩＤメディアから識別コードのみが情報読取装置にて読み取られ、この識別コードによってＲＦ−ＩＤメディアを用いた情報読取装置に対するアクセス状況が管理されるので、情報読取装置における負荷を増加させることなく、複数のサービスにて汎用的に利用することができる。
【００２０】
また、情報読取装置の編集手段において、アクセス情報に読取手段にてＲＦ−ＩＤメディアから読み取られた識別コードと、情報読取装置に付与された識別情報とを付加して識別コード付アクセス情報が編集され、アクセス管理手段において、識別コード付アクセス情報に含まれる識別コード及び識別情報に基づいてアクセス状況が管理されれば、ＲＦ−ＩＤメディアを用いてどの情報読取装置に対するアクセスが行われたかを容易に管理することができる。
【００２１】
【発明の実施の形態】
以下に、本発明の実施の形態について図面を参照して説明する。
【００２２】
図１は、本発明のアクセス管理システムの実施の一形態を示す図であり、図２は、図１に示した情報読取装置２０−１〜２０−ｎの構成を示す図である。
【００２３】
本形態は図１に示すように、固有の識別コードが書き込まれ、非接触状態にて少なくとも情報の読み取りが可能なＲＦ−ＩＤメディアであるＩＣタグ１１と、インターネット３０に接続可能に構成され、ＩＣタグ１１に対して非接触状態にて少なくとも情報の読み取りを行う情報読取装置２０−１〜２０−ｎと、インターネット３０を介しての情報読取装置２０−１〜２０−ｎにおけるアクセスに基づいて、ＩＣタグ１１の情報読取装置２０−１〜２０−ｎに対するアクセス状況を管理するアクセス状況管理手段であるアクセス状況管理機構４０とから構成されている。なお、アクセス状況管理機構４０は、インターネット３０を介して閲覧可能なサイトが構築されたＷｅｂサーバ４１と、Ｗｅｂサーバ４１に構築されたサイトに対するアクセスに基づいて、ＩＣタグ１１の情報読取装置２０−１〜２０−ｎに対するアクセス状況をアクセス状況データベース４３に登録して管理するアクセス状況管理部４２とから構成されている。
【００２４】
また、情報読取装置２０−１〜２０−ｎは図２に示すように、ＩＣタグ１１に書き込まれた情報を読み取る情報読取部２１と、Ｗｅｂサーバ４１に構築されたサイトのアクセス情報となるＵＲＬが登録された記憶手段であるメモリ２２と、メモリ２２に登録されたＵＲＬに、情報読取部２１にてＩＣタグ１１から読み取られた識別コードと、情報読取装置２０−１〜２０−ｎのそれぞれに個別に付与された識別情報とを付加して識別コード付アクセス情報を編集する編集部２３と、編集部２３にて編集された識別コード付アクセス情報を用いて、Ｗｅｂサーバ４１に構築されたサイトにインターネット３０を介してアクセスする通信部２４と、情報読取部２１にてＩＣタグ１１から読み取られた情報に基づく情報や、通信部２４におけるアクセス状況管理機構４０に対するアクセスによる情報等を表示する表示部２５と、情報読取部２１にてＩＣタグ１１に書き込まれた情報が読み取られた際の検出音を出力したり、情報読取部２１にてＩＣタグ１１から読み取られた情報に基づく情報や、通信部２４におけるアクセス状況管理機構４０に対するアクセスによる情報等を音声にて出力したりする音声出力部２６と、情報読取部２１にてＩＣタグ１１から情報が読み取られた場合にメモリ２２からＵＲＬを読み出し、これらの情報と情報読取装置２０−１〜２０−ｎの識別情報とを用いた編集部２３における編集動作を制御し、編集部２３にて編集された識別コード付アクセス情報を通信部２４に通知し、また、表示部２５及び音声出力部２６の動作を制御する制御部２７とから構成されている。
【００２５】
以下に、上記のように構成されたアクセス管理システムにおけるアクセス管理処理について説明する。
【００２６】
図３は、図１及び図２に示したアクセス管理システムにおけるアクセス管理処理を説明するためのフローチャートである。
【００２７】
サービスの利用者１０が、所持するＩＣタグ１１を、例えば、情報読取装置２０−１に近接させると、情報読取装置２０−１の情報読取部２１において、ＩＣタグ１１に書き込まれた情報が読み取られる（ステップＳ１）。ここで、本形態においては、ＩＣタグ１１には、ＩＣタグ１１固有の識別コードのみが予め書き込まれており、情報読取部２１においては、この識別コードがＩＣタグ１１から読み取られることになる。
【００２８】
情報読取装置２０−１の情報読取部２１にてＩＣタグ１１に書き込まれた識別コードが読み取られると、情報読取装置２０−１の制御部２７における制御によって、メモリ２２に登録されたＵＲＬが読み出され、編集部２３において、メモリ２２から読み出されたＵＲＬに、情報読取部２１にてＩＣタグ１１から読み取られた識別コードと、情報読取装置２０−１に個別に付与された識別情報とが付加されて識別コード付アクセス情報が編集される（ステップＳ２）。なお、メモリ２２には、Ｗｅｂサーバ４１に構築されたサイトのＵＲＬが登録されているため、編集部２３においては、Ｗｅｂサーバ４１に構築されたサイトのＵＲＬに、情報読取部２１にてＩＣタグ１１から読み取られた識別コードと、情報読取装置２０−１に個別に付与された識別情報とが付加されて識別コード付アクセス情報が編集されることになる。
【００２９】
図４は、図２に示した編集部２３にて編集された識別コード付アクセス情報の一例を示す図である。
【００３０】
図４に示すように、編集部２３においては、メモリ２２から読み出された、Ｗｅｂサーバ４１に構築されたサイトのＵＲＬである“ｗｗｗ．×××．××．ｊｐ”に、情報読取装置２０−１に予め付与された固有の識別情報“１００”と、ＩＣタグ１１から読み取られたＩＣタグ１１の識別コード“２７”とが付与されて、識別コード付アクセス情報が編集される。
【００３１】
編集部２３にて編集された識別コード付アクセス情報は、制御部２７における制御によって通信部２４に通知され、通信部２４において、ｈｔｔｐプロトコルに従って、編集部２３にて編集された識別コード付アクセス情報を用いて、Ｗｅｂサーバ４１に構築されたサイトにアクセスが行われる（ステップＳ３）。なお、Ｗｅｂサーバ４１に構築されたサイトに対する通信部２４によるアクセスのタイミングにおいては、編集部２３にて識別コード付アクセス情報が編集されたタイミングとしてもよいし、編集部２３にて識別コード付アクセス情報が編集されたタイミングによらずに予め決められた所定のタイミングとしてもよい。ただし、後者の場合は、編集部２３にて編集された識別コード付アクセス情報を、この識別コード付アクセス情報を用いてアクセスが行われるまでの間メモリ２２に記憶しておく必要がある。あるいは、編集部２３にて編集された識別コード付アクセス情報をメモリ２２に記憶せず、別途メモリを設け、そのメモリに識別コード付アクセス情報を記憶しておくことも考えられる。
【００３２】
Ｗｅｂサーバ４１に構築されたサイトにアクセスが行われると、アクセス状況管理機構４０のアクセス状況管理部４２において、Ｗｅｂサーバ４１に構築されたサイトに対してアクセスが行われた際に、Ｗｅｂサーバ４１に構築されたサイトのＵＲＬに付加された情報を用いて、情報読取装置２０−１〜２０−ｎに対するアクセス状況がアクセス状況データベース４３に登録され、管理される（ステップＳ４）。本形態においては、Ｗｅｂサーバ４１に構築されたサイトに対してアクセスが行われた際に、Ｗｅｂサーバ４１に構築されたサイトのＵＲＬには、情報読取装置２０−１に付与された識別情報と、ＩＣタグ１１の識別コードとが付加されているため、アクセス状況管理部４２においては、情報読取装置２０−１にＩＣタグ１１がアクセスしたことが管理される。また、情報読取装置２０−１にてＩＣタグ１１の識別コードが読み取られた時間についても、Ｗｅｂサーバ４１に構築されたサイトのＵＲＬにその時間情報が付加されたり、その他の手段にてアクセス状況管理機構４０にその時間情報が通知されたりすることにより、情報読取装置２０−１にＩＣタグ１１がアクセスした時間が管理される。
【００３３】
なお、本形態においては、情報読取装置２０−１〜２０−ｎの編集部２３において、Ｗｅｂサーバ４１に構築されたサイトのＵＲＬに、情報読取装置２０−１〜２０−ｎに付与された識別情報と、ＩＣタグ１１の識別コードとが付加されているが、Ｗｅｂサーバ４１に構築されたサイトに複数のＵＲＬを設定しておき、情報読取装置２０−１〜２０−ｎのそれぞれにおいて、Ｗｅｂサーバ４１に構築されたサイトのＵＲＬに識別情報を付加せずに、互いに異なるＵＲＬを用いてＷｅｂサーバ４１に構築されたサイトにアクセスすることによって、アクセス状況管理機構４０において、アクセス元となる情報読取装置を識別することも考えられる。
【００３４】
また、本形態においては、ＩＣタグ１１に、ＩＣタグ１１に付与された識別コードのみが書き込まれており、この識別コードを用いて、ＩＣタグ１１による情報読取装置２０−１〜２０−ｎに対するアクセス状況が管理されているので、情報読取装置２０−１〜２０−ｎが異なるサービスを提供するものであっても、ＩＣタグ１１をこれらのサービスに共通に使用することができる。
【００３５】
以下に、上述したアクセス管理システムの利用形態について具体例を挙げて説明する。
【００３６】
（１）遊園地の料金支払システムへの適用
情報読取装置２０−１〜２０−ｎを、遊園地の各アトラクションの利用口毎に設置し、また、遊園地の入場口等において、入場者にＩＣタグ１１を配布する。なお、このＩＣタグ１１には、上述したように、ＩＣタグ固有の識別コードが書き込まれているため、入場者の情報とＩＣタグ１１固有の識別コードとを関連付けてデータベース等に記憶しておくことにより、この識別コードを用いて入場者を特定することができる。
【００３７】
入場者は、遊園地内のアトラクションを利用する場合、そのアトラクションの利用口に設置された情報読取装置にＩＣタグ１１を近接させる。すると、情報読取装置においては、ＩＣタグ１１の識別コードが読み取られ、この識別コードと、識別コードを読み取った情報読取装置の識別情報とが、遊園地に設けられたアクセス状況管理機構４０のＷｅｂサーバ４１に構築されたサイトのＵＲＬに付加され、上述したような識別コード付アクセス情報が編集され、この識別コード付アクセス情報によってアクセス状況管理機構４０に対するアクセスが行われる。
【００３８】
アクセス状況管理機構４０においては、識別コード付アクセス情報を用いて、ＩＣタグ１１を所持する入場者がどのアトラクションを利用したかが管理される。
【００３９】
その後、入場者が遊園地を退場する際、遊園地の退場口に設置された情報読取装置にＩＣタグ１１を近接させる。すると、上述したように、情報読取装置においては、ＩＣタグ１１に書き込まれた識別コードが読み取られ、この識別コードと、識別コードを読み取った情報読取装置の識別情報とが、アクセス状況管理機構４０のＷｅｂサーバ４１に構築されたサイトのＵＲＬに付加され、上述したような識別コード付アクセス情報が編集され、この識別コード付アクセス情報によってアクセス状況管理機構４０に対するアクセスが行われる。
【００４０】
アクセス状況管理機構４０においては、識別コード付アクセス情報に、退場口に設置された情報読取装置の識別情報が含まれている場合、その識別コード付アクセス情報に含まれる識別コードによって識別されるＩＣタグ１１を所持する入場者が利用したアトラクションが抽出され、その利用代金が、遊園地の退場口に設置された情報読取装置に送信され、表示される。
【００４１】
遊園地の入場者は、遊園地を退場する際に、利用したアトラクションの利用代金を支払うことになる。なお、ＩＣタグ１１のアクセス情報の利用方法としては、利用代金の支払のみでなく、利用状況に応じて景品を提供する等の方法も考えられる。
【００４２】
（２）ポイントラリーゲームへの適用
情報読取装置２０−１〜２０−ｎを、ポイントラリーゲームのポイント地点毎に設置し、また、ポイントラリーゲームの参加者にＩＣタグ１１を配布する。このＩＣタグ１１には、上述したように、ＩＣタグ１１固有の識別コードが書き込まれているため、この識別コードを用いて参加者を特定することができる。
【００４３】
ポイントラリーゲームの参加者は、ポイントラリーゲームのポイント地点に到着した場合、そのポイント地点に設置された情報読取装置にＩＣタグ１１を近接させる。すると、情報読取装置においては、ＩＣタグ１１の識別コードが読み取られ、この識別コードと、識別コードを読み取った情報読取装置の識別情報とが、ポイントラリーゲームを運営するアクセス状況管理機構４０のＷｅｂサーバ４１に構築されたサイトのＵＲＬに付加され、上述したような識別コード付アクセス情報が編集され、この識別コード付アクセス情報によってアクセス状況管理機構４０に対するアクセスが行われる。
【００４４】
アクセス状況管理機構４０においては、識別コード付アクセス情報を用いて、ＩＣタグ１１を所持する参加者がどのポイント地点に到着したかが管理される。
【００４５】
その後、例えば、所定の時間が経過する等してゲームが終了した際、各参加者が、ポイント精算用の情報読取装置にＩＣタグ１１を近接させる。すると、上述したように、情報読取装置においては、ＩＣタグ１１に書き込まれた識別コードが読み取られ、この識別コードと、識別コードを読み取った情報読取装置の識別情報とが、アクセス状況管理機構４０のＷｅｂサーバ４１に構築されたサイトのＵＲＬに付加され、上述したような識別コード付アクセス情報が編集され、この識別コード付アクセス情報によってアクセス状況管理機構４０に対するアクセスが行われる。
【００４６】
アクセス状況管理機構４０においては、識別コード付アクセス情報に、ポイント精算用の情報読取装置の識別情報が含まれている場合、その識別コード付アクセス情報に含まれる識別コードによって識別されるＩＣタグ１１を所持する参加者が到着したポイント地点が抽出され、そのポイント地点に応じたポイントが、ポイント精算用の情報読取装置に送信され、表示される。
【００４７】
ポイントラリーゲームの参加者は、そのポイントに応じた商品等を受け取ることになる。
【００４８】
（３）複数のサービスへの適用
情報読取装置２０−１〜２０−ｎを、互いに異なるサービスを提供するものとしてそのサービス毎に決められた場所に設置し、また、この複数のサービスのうち少なくとも１つを利用する利用者にＩＣタグ１１を配布する。なお、このＩＣタグ１１には、上述したように、ＩＣタグ１１固有の識別コードが書き込まれている。また、情報読取装置２０−１〜２０−ｎのメモリ２２内には、ＩＣタグ１１の識別コードの番号帯毎にＵＲＬが対応付けられて記憶されている。例えば、識別コード１〜９９９９には、“○○○．ｘｘ．ｘｘ”、識別コード１００００〜９９９９９には、“×××．ｘｘ．ｘｘ”がそれぞれ対応付けられて記憶されている。また、入場者の情報とＩＣタグ１１固有の識別コードとを関連付けてデータベース等に記憶しておくことにより、この識別コードを用いて利用者を特定することができる。さらに、図１に示したようなアクセス状況管理機構４０をサービス毎（“○○○．ｘｘ．ｘｘ”  と“×××．ｘｘ．ｘｘ”のサイト毎）に設ける。
【００４９】
ＩＣタグ１１の所持者は、例えば、情報読取装置２０−１によって提供されるサービスを利用する場合、情報読取装置２０−１にＩＣタグ１１を近接させる。すると、情報読取装置２０−１においては、ＩＣタグ１１の識別コードが読み取られ、この識別コードが、情報読取装置２０−１によって提供されるサービスに対応して設けられたアクセス状況管理機構４０のＷｅｂサーバ４１に構築されたサイトのＵＲＬに付加され、上述したような識別コード付アクセス情報が編集され、この識別コード付アクセス情報によってアクセス状況管理機構４０に対するアクセスが行われる。なお、情報読取装置２０−１〜２０−ｎのうち複数の情報読取装置にて同一のサービスが提供される場合は、情報読取装置に固有の識別情報を付与しておき、ＩＣタグ１１の識別コードが読み取られた情報読取装置において、読み取られたＩＣタグ１１の識別コードと、その情報読取装置の識別情報とが、そのサービスに対応して設けられたアクセス状況管理機構４０のＷｅｂサーバ４１に構築されたサイトのＵＲＬに付加されて識別コード付アクセス情報が編集される。
【００５０】
アクセス状況管理機構４０においては、識別コード付アクセス情報を用いて、ＩＣタグ１１を所持する利用者が情報読取装置にアクセスしたことが管理され、利用者に対して所定のサービスが提供されることになる。
【００５１】
なお、上述した実施の形態においては、ＲＦ−ＩＤメディアとしてＩＣタグ１１を例に挙げて説明したが、その他に、非接触型ＩＣカードや非接触型ＩＣラベル等、個別の識別コードが書き込まれており、この識別コードが情報読取装置２０−１〜２０−ｎにて非接触状態にて読み取られるものであれば、本発明はこれに限らない。なお、非接触型ＩＣラベルを用いる場合は、非接触型ＩＣラベルをシートや物品等に貼付し、このシートや物品等を利用者１０が所持しておく必要がある。
【００５２】
また、情報読取装置２０−１〜２０−ｎにおいては、ＲＦ−ＩＤタグ１１に対して非接触状態にて少なくとも情報の読み取りが可能なものであればよく、ＲＦ−ＩＤタグ１１に対して非接触状態にて情報の書き込みが可能なものであってもよい。
【００５３】
また、複数のサービスを異なるＵＲＬで管理する方法の他に、１つのＵＲＬで管理することも可能である。例えば、ＩＣタグ１１の識別コード１〜９９９９をＡサービス用として“Ａ”のサービス識別コードを、また、ＩＣタグ１１の識別コード１００００〜９９９９９をＢサービス用として“Ｂ”のサービス識別コードをそれぞれ対応付けてメモリ２２に記憶しておき、編集時にＵＲＬの後ろに識別コードと共にサービス識別コードを付加することにより、アクセス状況管理機構４０側でサービスを識別することができる。
【００５４】
【発明の効果】
上記のように構成された本発明においては、固有の識別コードが予め書き込まれ、非接触状態にて情報の読み取りが可能なＲＦ−ＩＤメディアと、ＲＦ−ＩＤメディアに対して非接触状態にて少なくとも情報の読み取りを行う情報読取装置とを有し、ＲＦ−ＩＤメディアを用いた情報読取装置に対するアクセス状況を管理するアクセス管理システムにおいて、インターネットに接続可能に構成され、ＲＦ−ＩＤメディアに書き込まれた識別コードに基づいてアクセス状況を管理するアクセス状況管理手段を有し、また、情報読取装置が、ＲＦ−ＩＤメディアに書き込まれた識別コードを読み取る読取手段と、インターネットを介してアクセス状況管理手段にアクセスするためのアクセス情報が格納された記憶手段と、アクセス情報に読取手段にてＲＦ−ＩＤメディアから読み取られた識別コードを付加して識別コード付アクセス情報を編集する編集手段と、編集手段にて編集された識別コード付アクセス情報を用いて、アクセス状況管理手段にインターネットを介してアクセスする通信手段とを有し、アクセス状況管理手段が、識別コード付アクセス情報に含まれる識別コードに基づいてアクセス状況を管理する構成としたため、ＲＦ−ＩＤメディアに書き込まれた情報を読み取る情報読取装置における負荷を増加させることなく、複数のサービスにて汎用的に利用することができる。
【００５５】
また、編集手段が、アクセス情報に読取手段にてＲＦ−ＩＤメディアから読み取られた識別コード及び当該情報読取装置に付与された識別情報を付加して識別コード付アクセス情報を編集し、また、アクセス管理手段が、識別コード付アクセス情報に含まれる識別コード及び識別情報に基づいてアクセス状況を管理する構成としたものにおいては、ＲＦ−ＩＤメディアを用いてどの情報読取装置に対するアクセスが行われたかを容易に管理することができる。
【図面の簡単な説明】
【図１】図１は、本発明のアクセス管理システムの実施の一形態を示す図である。
【図２】図１に示した情報読取装置の構成を示す図である。
【図３】図１及び図２に示したアクセス管理システムにおけるアクセス管理処理を説明するためのフローチャートである。
【図４】図２に示した編集部にて編集された識別コード付アクセス情報の一例を示す図である。
【符号の説明】
１０    利用者
１１    ＩＣタグ
２０−１〜２０−ｎ    情報読取装置
２１    情報読取部
２２    メモリ
２３    編集部
２４    通信部
２５    表示部
２６    音声出力部
２７    制御部
３０    インターネット
４０    アクセス状況管理機構
４１    Ｗｅｂサーバ
４２    アクセス状況管理部
４３    アクセス状況データベース
【図１】
2005011205.tif 000003
【図２】
2005011205.tif 000004
【図３】
2005011205.tif 000005
【図４】
2005011205.tif 000006